(57)【要約】      （修正有）【課題】暖房運転の開始時において、人に直接吹出口から吹き出される空気を当てることを抑制し、人の快適性を向上する。【解決手段】少なくとも暖房運転を行うことが可能な空気調和機の天井設置型室内ユニットであって、複数の吹出口５６ａ〜５６ｈと、複数の水平フラップ５７ａ〜５７ｈと、人検知センサ６２と、制御部とを備える。複数の吹出口５６ａ〜５６ｈは、それぞれ異なる空調対象エリアＡ〜Ｄに向けて空調空気を吹き出す。複数の水平フラップ５７ａ〜５７ｈは、複数の吹出口５６ａ〜５６ｈのそれぞれに配置され、空調空気の吹出方向を独立して調整可能である。制御部は、人検知センサ６２の検知結果に基づいて複数の水平フラップ５７ａ〜５７ｈの制御を行う。また、制御部は、暖房運転の開始時に、人検知センサ６２が人の存在を検知した場合、人の存在が検知される空調対象エリアに対応する吹出口の水平フラップを制御し、人への直接送風を抑制する。【選択図】図４
2011099609.tif 000002
【特許請求の範囲】
【請求項１】
少なくとも暖房運転を行うことが可能な空気調和機（１）の天井設置型室内ユニット（４）であって、
それぞれ異なる空調対象エリア（Ａ〜Ｄ）に向けて空調空気を吹き出す複数の吹出口（５６ａ〜５６ｈ，２５６ａ〜２５６ｄ，２５６ｅ〜２５６ｈ）と、
複数の前記吹出口（５６ａ〜５６ｈ，２５６ａ〜２５６ｄ）のそれぞれに配置され、前記空調空気の吹出方向をそれぞれが独立して調整可能な複数の吹出方向調整部材（５７ａ〜５７ｈ，２５７ａ〜２５７ｄ）と、
それぞれの前記空調対象エリア（Ａ〜Ｄ）における人の存在の有無を検知する人検知手段（６２）と、
前記人検知手段（６２）の検知結果に基づいて複数の前記吹出方向調整部材（５７ａ〜５７ｈ，２５７ａ〜２５７ｄ）のそれぞれの制御を行う制御手段（９）と、
を備え、
前記制御手段（９）は、前記暖房運転の開始時に、前記人検知手段（６２）がいずれかの前記空調対象エリア（Ａ〜Ｄ）において人の存在を検知した場合、人の存在が検知される前記空調対象エリアに対応する前記吹出口の前記吹出方向調整部材を制御し、人への直接送風を抑制する、
空気調和機（１）の天井設置型室内ユニット（４）。
【請求項２】
少なくとも暖房運転を行うことが可能な空気調和機（１）の天井設置型室内ユニット（４）であって、
それぞれ異なる空調対象エリア（Ａ〜Ｄ）に向けて空調空気を吹き出す複数の吹出口（５６ａ〜５６ｈ，２５６ａ〜２５６ｄ，２５６ｅ〜２５６ｈ）と、
複数の前記吹出口（５６ａ〜５６ｈ，２５６ａ〜２５６ｄ）のそれぞれに配置され、前記空調空気の吹出方向をそれぞれが独立して調整可能な複数の吹出方向調整部材（５７ａ〜５７ｈ，２５７ａ〜２５７ｄ）と、
それぞれの前記空調対象エリア（Ａ〜Ｄ）における人の存在の有無を検知する人検知手段（６２）と、
前記人検知手段（６２）の検知結果に基づいて複数の前記吹出方向調整部材（５７ａ〜５７ｈ，２５７ａ〜２５７ｄ）のそれぞれの制御を行う制御手段（９）と、
を備え、
前記制御手段（９）は、前記暖房運転時、前記人検知手段（６２）がいずれかの前記空調対象エリア（Ａ〜Ｄ）において人の存在を検知した場合、人の存在が検知される前記空調対象エリアに対応する前記吹出口の前記吹出方向調整部材を制御し、人への直接送風を抑制する、
空気調和機（１）の天井設置型室内ユニット（４）。
【請求項３】
さらに冷房運転を行うことが可能であり、
前記空調空気の量を変更することが可能な送風ファン（４２）をさらに備え、
前記制御手段（９）は、
前記冷房運転時または前記暖房運転時において、
前記人検知手段（６２）がいずれかの前記空調対象エリア（Ａ〜Ｄ）において人の非存在を検知した場合、人の非存在が検知される前記空調対象エリアに吹き出される空調空気の量が低下するように前記送風ファン（４２）を制御する第１制御と、
前記人検知手段（６２）が全ての前記空調対象エリア（Ａ〜Ｄ）において人の非存在を検知した場合、運転能力を落とす、または、運転を停止する第２制御と、
前記人検知手段（６２）の検知結果に基づいて全ての前記空調対象エリア（Ａ〜Ｄ）における人の活動状態量を算出し、前記活動状態量が少ない場合に、複数の前記吹出口（５６ａ〜５６ｈ）から吹き出される空調空気の量が低下するように前記送風ファン（４２）を制御する第３制御と、
のいずれか１つを行う、
請求項１又は２に記載の空気調和機（１）の室内ユニット（４）。
【請求項４】
前記制御手段（９）は、
前記冷房運転時において、前記人検出手段（６２）がいずれかの前記空調対象エリア（Ａ〜Ｄ）において人の存在を検知した場合、人の存在が検知される前記空調対象エリアに吹き出される空調空気が人に当たるように前記吹出方向調整部材を制御し且つ設定温度を上げる第４制御、
および／または、
前記冷房運転の開始後前記空調対象エリア（Ａ〜Ｄ）の温度が略安定状態になる時まで、前記人検出手段（６２）がいずれかの前記空調対象エリア（Ａ〜Ｄ）において人の存在を検知した場合、人の存在が検知される前記空調対象エリアに対応する前記吹出口の前記吹出方向調整部材を前記吹出方向が連続的に変化するように制御し且つ前記設定温度を上げる第５制御、
を行う、
請求項３に記載の空気調和機（１）の天井設置型室内ユニット（４）。
【請求項５】
前記制御手段（９）は、前記冷房運転時において、前記人検知手段（６２）がいずれかの前記空調対象エリア（Ａ〜Ｄ）において人の存在を検知した場合、人の存在が検知される前記空調対象エリアに対応する前記吹出口の前記吹出方向調整部材を制御し、人への直接送風を抑制する、
請求項３に記載の空気調和機（１）の天井設置型室内ユニット（４）。
【発明の詳細な説明】
【技術分野】
【０００１】
本発明は、空気調和機の室内ユニットに関する。
【背景技術】
【０００２】
従来、複数の方向（４方向、８方向等）に吹出口が設けられ、それぞれの吹出口に吹出口から吹き出される空調空気の風向を変更可能な部材が設けられる天井設置型の空気調和機の室内ユニットが存在する。このような空気調和機の室内ユニットには、例えば、特許文献１（特開２００７−３２８８７号公報）に記載のように、人の快適性を考慮して室内における温度差を小さくするために、センサにより床温度を検知するものがある。
【発明の概要】
【発明が解決しようとする課題】
【０００３】
特許文献１（特開２００７−３２８８７号公報）に記載の空気調和機の室内ユニットでは、例えば、暖房運転を開始する際、床温度が低いエリアがある場合は、そのエリアに対して空調空気を吹き出すと考えられる。しかし、そのエリアに人が存在していると、暖房運転開始時の比較的冷たい空気が直接人に当たり人に不快感を与えることが懸念される。よって、室内における人の存在の有無を考慮した空調を行うことが望ましいと考えられる。
【０００４】
そこで、本発明の課題は、暖房運転の開始時において、人に直接吹出口から吹き出される空気を当てることを抑制し、人の快適性を向上することができる空気調和機の室内ユニットを提供することにある。
【課題を解決するための手段】
【０００５】
第１発明に係る空気調和機の天井設置型室内ユニットは、少なくとも暖房運転を行うことが可能な空気調和機の天井設置型室内ユニットであって、複数の吹出口と、複数の吹出方向調整部材と、人検知手段と、制御手段とを備える。複数の吹出口は、それぞれ異なる空調対象エリアに向けて空調空気を吹き出す。複数の吹出方向調整部材は、複数の吹出口のそれぞれに配置され、空調空気の吹出方向をそれぞれが独立して調整可能である。人検知手段は、それぞれの空調対象エリアにおける人の存在の有無を検知する。制御手段は、人検知手段の検知結果に基づいて複数の吹出方向調整部材のそれぞれの制御を行う。また、制御手段は、暖房運転の開始時に、人検知手段がいずれかの空調対象エリアにおいて人の存在を検知した場合、人の存在が検知される空調対象エリアに対応する吹出口の吹出方向調整部材を制御し、人への直接送風を抑制する。
【０００６】
ここで、例えば、天井設置型には、天井埋め込み型や天井吊り下げ型が含まれる。また、ここでは、吹出口から吹き出される空調空気の量を最大風量またはそれに近い風量となるように制御することが望ましい。
【０００７】
第１発明に係る空気調和機の天井設置型室内ユニットでは、人検知手段の検知結果に基づいて複数の吹出方向調整部材のそれぞれの制御を行うことで、すなわち、暖房運転の開始時において、人検知手段が人の存在を検知する空調対象エリアに対応する吹出口の吹出方向調整部材を制御手段が制御することで、人に直接吹出口から吹き出される空気（具体的には、室内ユニットにおいて完全に温度調節されていない比較的冷たい空気）を当てることを抑制することができる。よって、人の快適性を向上することができる。
【０００８】
第２発明に係る空気調和機の天井設置型室内ユニットは、少なくとも暖房運転を行うことが可能な空気調和機の天井設置型室内ユニットであって、複数の吹出口と、複数の吹出方向調整部材と、人検知手段と、制御手段とを備える。複数の吹出口は、それぞれ異なる空調対象エリアに向けて空調空気を吹き出す。複数の吹出方向調整部材は、複数の吹出口のそれぞれに配置され、空調空気の吹出方向をそれぞれが独立して調整可能である。人検知手段は、それぞれの空調対象エリアにおける人の存在の有無を検知する。制御手段は、人検知手段の検知結果に基づいて複数の吹出方向調整部材のそれぞれの制御を行う。また、制御手段は、暖房運転時、人検知手段がいずれかの空調対象エリアにおいて人の存在を検知した場合、人の存在が検知される空調対象エリアに対応する吹出口の吹出方向調整部材を制御し、人への直接送風を抑制する。
【０００９】
ここで、例えば、天井設置型には、天井埋め込み型や天井吊り下げ型が含まれる。また、例えば、暖房運転の開始時においては、吹出口から吹き出される空調空気の量を最大風量またはそれに近い風量となるように制御することが望ましい。
【００１０】
第２発明に係る空気調和機の天井設置型室内ユニットでは、暖房運転時において、人検知手段が人の存在を検知する空調対象エリアに対応する吹出口の吹出方向調整部材を制御することで、吹出口から吹き出される空気が直接人に当たることを抑制することができる。また、特に、暖房運転の開始時において、人検知手段が人の存在を検知する空調対象エリアに対応する吹出口の吹出方向調整部材を制御手段が制御すれば、室内ユニットにおいて完全に温度調節されていない比較的冷たい空気を人に当てることを抑制することができる。以上により、ドラフトによる人の不快感を抑制することができ、人の快適性を向上することができる。
【００１１】
第３発明に係る空気調和機の天井設置型室内ユニットは、第１発明又は第２発明に係る空気調和機の天井設置型室内ユニットであって、さらに冷房運転を行うことが可能であり、送風ファンをさらに備える。送風ファンは、空調空気の量を変更することが可能である。制御手段は、第１制御と、第２制御と、第３制御とのいずれか１つを行う。第１制御は、人検知手段がいずれかの空調対象エリアにおいて人の非存在を検知した場合、人の非存在が検知される空調対象エリアに吹き出される空調空気の量が低下するように前記送風ファンを制御する。第２制御は、人検知手段が全ての空調対象エリアにおいて人の非存在を検知した場合、運転能力を落とす、または、運転を停止する。第３制御は、人検知手段の検知結果に基づいて全ての空調対象エリアにおける人の活動状態量を算出し、活動状態量が少ない場合に、複数の吹出口から吹き出される空調空気の量が低下するように送風ファンを制御する。
【００１２】
ここで、送風ファンを制御するとは、例えば、送風ファンの回転数を低下するように制御することである。また、人の活動状態量の算出には、例えば、人の活動状態量の予測が含まれる。
【００１３】
第３発明に係る空気調和機の天井設置型室内ユニットでは、第１制御と、第２制御と、第３制御とのいずれか１つを行うことにより、省エネルギーおよび省コストに貢献することができる。
【００１４】
第４発明に係る空気調和機の天井設置型室内ユニットは、第３発明に係る空気調和機の室内ユニットであって、制御手段は、第４制御および／または第５制御を行う。第４制御は、冷房運転時において、人検出手段がいずれかの空調対象エリアにおいて人の存在を検知した場合、人の存在が検知される空調対象エリアに吹き出される空調空気が人に当たるように吹出方向調整部材を制御し且つ設定温度を上げる。第５制御は、冷房運転の開始後空調対象エリアの温度が略安定状態になる時まで、人検出手段がいずれかの空調対象エリアにおいて人の存在を検知した場合、人の存在が検知される空調対象エリアに対応する吹出口の吹出方向調整部材を吹出方向が連続的に変化するように制御し且つ設定温度を上げる。
【００１５】
第４発明に係る空気調和機の天井設置型室内ユニットでは、第４制御および／または第５制御を行うことで、省エネルギーおよび省コストに貢献することができる。
【００１６】
第５発明に係る空気調和機の天井設置型室内ユニットは、第３発明に係る空気調和機の天井設置型室内ユニットであって、制御手段は、冷房運転時において、人検知手段がいずれかの空調対象エリアにおいて人の存在を検知した場合、人の存在が検知される空調対象エリアに対応する吹出口の吹出方向調整部材を制御し、人への直接送風を抑制する。
【００１７】
第５発明に係る空気調和機の天井設置型室内ユニットでは、冷房運転時において、人検知手段が人の存在を検知する空調対象エリアに対応する吹出口の吹出方向調整部材を、制御することで、吹出口から吹き出される空気を直接人に送風することを抑制することが可能になる。これにより、ドラフトによる人の不快感を抑制することができ、人の快適性を向上することができる。
【発明の効果】
【００１８】
第１発明に係る空気調和機の天井設置型室内ユニットでは、人に直接吹出口から吹き出される空気（具体的には、室内ユニットにおいて完全に温度調節されていない比較的冷たい空気）を当てることを抑制することができる。よって、人の快適性を向上することができる。
【００１９】
第２発明に係る空気調和機の天井設置型室内ユニットでは、暖房運転時において、人検知手段が人の存在を検知する空調対象エリアに対応する吹出口の吹出方向調整部材を制御することで、吹出口から吹き出される空気が直接人に当たることを抑制することができる。また、特に、暖房運転の開始時において、人検知手段が人の存在を検知する空調対象エリアに対応する吹出口の吹出方向調整部材を制御手段が制御すれば、室内ユニットにおいて完全に温度調節されていない比較的冷たい空気を人に当てることを抑制することができる。以上により、人の快適性を向上することができる。
【００２０】
第３発明および第４発明に係る空気調和機の天井設置型室内ユニットでは、省エネルギーおよび省コストに貢献することができる。
【００２１】
第５発明に係る空気調和機の天井設置型室内ユニットでは、ドラフトによる人の不快感を抑制することができ、人の快適性を向上することができる。
【図面の簡単な説明】
【００２２】
【図１】空気調和機の冷媒回路の系統図。
【図２】室内ユニットの概略外観図（吹出口や水平フラップは省略）。
【図３】室内ユニットの概略の縦断面図であって、図４のIII−III断面に相当する図（水平フラップは省略）。
【図４】室内ユニットを下面視したときの模式図。
【図５】フラップモータの周辺の構造を示す模式図。
【図６】各吹出口から吹き出される吹出空気（空調空気）の気流且つ人検知センサの検知範囲を示す模式図。
【図７】室内ユニットの側面視における人検知センサの検知範囲を示す模式図。
【図８】人検知センサの構成を示す模式図。
【図９】制御部の制御ブロック図。
【図１０】水平フラップの全閉状態および下方吹き状態を示すための水平フラップの周辺の拡大断面図。
【図１１】水平フラップの水平吹き状態を示すための水平フラップの周辺の拡大断面図。
【図１２】第２実施形態に係る室内ユニットを下面視したときの模式図（吹出口が４つ）。
【図１３】第２実施形態に係る室内ユニットを下面視したときの模式図（吹出口が８つ）。
【発明を実施するための形態】
【００２３】
以下、図面を参照しながら、本発明の一実施形態に係る空気調和機１について説明する。なお、以下の実施形態は、本発明の具体例であって、本発明の技術的範囲を限定するものではない。
【００２４】
＜第１実施形態＞
＜空気調和機１の構成＞
空気調和機１は、蒸気圧縮式の冷凍サイクル運転を行うことによって、建物内の居室における冷暖房に使用される装置である。空気調和機１は、図１に示すように、主として、建物の室外に設置される１台の室外ユニット２と、建物の居室内に設置される室内ユニット４と、室外ユニット２と室内ユニット４とを接続する液側冷媒連絡配管６およびガス側冷媒連絡配管７とを備えている。すなわち、室外ユニット２と、室内ユニット４と、液側冷媒連絡配管６およびガス側冷媒連絡配管７とが接続されることにより、空気調和機１の冷媒回路１０が構成されている。以下、空気調和機１の冷媒回路１０の構成について説明する。
【００２５】
＜空気調和機１の冷媒回路１０の概略構成＞
図１は、空気調和機１の冷媒回路１０の系統図である。
【００２６】
図１に示すように、空気調和機１の冷媒回路１０は、室内ユニット４が有する室内側冷媒回路１０ａと、室外ユニット２が有する室外側冷媒回路１０ｂとを有している。
【００２７】
室内側冷媒回路１０ａは、主として、室内熱交換器４１を有している。室内熱交換器４１は、伝熱管と多数のフィンとにより構成されたクロスフィン式のフィン・アンド・チューブ型熱交換器である。
【００２８】
室外側冷媒回路１０ｂは、主として、圧縮機２１と、四路切換弁２２と、室外熱交換器２３と、室外膨張弁２４と、液側閉鎖弁２５と、ガス側閉鎖弁２６とを有している。
【００２９】
圧縮機２１は、運転容量を可変することが可能な圧縮機であり、圧縮機モータ２１ｍによって駆動される容積式圧縮機である。
【００３０】
四路切換弁２２は、冷媒の流れ方向を切り換えるための弁であり、第１状態（図１の四路切換弁２２の実線を参照）と、第２状態（図１の四路切換弁２２の破線を参照）とを採ることができる。第１状態では、圧縮機２１の吐出側と室外熱交換器２３のガス側とが接続されると共に圧縮機２１の吸入側と室内熱交換器４１のガス側とが接続されている。すなわち、四路切換弁２２が第１状態を採る場合は、冷媒回路１０が冷房運転の状態となっている。第２状態では、圧縮機２１の吐出側と室内熱交換器４１のガス側（具体的には、ガス側冷媒連絡配管７）とが接続されると共に圧縮機２１の吸入側と室外熱交換器２３のガス側とが接続されている。すなわち、四路切換弁２２が第２状態を採る場合は、冷媒回路１０が暖房運転の状態となっている。
【００３１】
室外熱交換器２３は、伝熱管と多数のフィンとにより構成されるクロスフィン式のフィン・アンド・チューブ型熱交換器である。室外熱交換器２３は、そのガス側が四路切換弁２２に接続され、その液側が液側冷媒連絡配管６に接続されている。室外熱交換器２３は、冷房運転時には冷媒の凝縮器として機能し、暖房運転時には冷媒の蒸発器として機能する。
【００３２】
室外膨張弁２４は、室外側冷媒回路１０ｂ内を流れる冷媒の圧力や流量の調節を行うために、室外熱交換器２３の液側に接続された電動膨張弁である。
【００３３】
液側閉鎖弁２５およびガス側閉鎖弁２６は、外部の機器・配管（具体的には、液側冷媒連絡配管６およびガス側冷媒連絡配管７）との接続口に設けられた弁である。液側閉鎖弁２５は、室外熱交換器２３に接続されている。ガス側閉鎖弁２６は、四路切換弁２２に接続されている。
【００３４】
なお、室外ユニット２は、室外ファン２８を有している。室外ファン２８は、室外ユニット２内に室外空気を吸入して、室外熱交換器２３において冷媒と熱交換させた後に、室外に排出するための送風ファンとして機能する。また、室外ファン２８は、室外ファンモータ２８ｍによって駆動され、室外熱交換器２３に供給する外気の量を可変することが可能なファンである。
【００３５】
以下、室内ユニット４の具体的な構造について説明する。
【００３６】
＜室内ユニット４の構造＞
図２は、室内ユニット４の概略外観図（吹出口５６ａ〜５６ｈや水平フラップ５７ａ〜５７ｈは省略）である。図３は、室内ユニット４の概略の縦断面図であって、図４のIII−III断面に相当する図（水平フラップ５７ｃ，５７ｈは省略）である。図４は、室内ユニット４を下面視したときの模式図である。図５は、フラップモータ５７ｍの周辺の構造を示す模式図である。図６は、各吹出口５６ａ〜５６ｈから吹き出される吹出空気（空調空気）の気流且つ人検知センサ６２の検知範囲を示す模式図である。
【００３７】
室内ユニット４は、居室内の天井Ｒ（図３を参照）に設置される天井設置型の空気調和機である。具体的には、室内ユニット４は、天井Ｒに開口された開口部７１（図３を参照）に埋め込んで据え付けられる天井埋め込み型の空気調和機である。なお、室内ユニット４は、天井埋め込み型の空気調和機に限られるものではなく、天井Ｒに吊り下げられる天井吊り下げ型の空気調和機であってもよい。
【００３８】
室内ユニット４は、主として、図２および図３に示すように、各種の構成機器を収納するケーシング５０を有している。ケーシング５０は、平面視が略正方形状であり下面が開口した箱状の形態を有するケーシング本体５０ａと、ケーシング本体５０ａの下面を覆う化粧パネル５０ｂとを有している。
【００３９】
ケーシング本体５０ａは、ケーシング５０の上面および側面を構成しており、その平面視において略正方形状の天板５１と、天板５１の外周縁部から下方に延びる側板５２とを有している。
【００４０】
化粧パネル５０ｂは、平面視が略正方形状の板状部材である。化粧パネル５０ｂは、平面視において、ケーシング本体５０ａの天板５１よりも大きい。化粧パネル５０ｂは、ケーシング本体５０ａの側板５２の下端部に取り付けられ、その上面の外周縁部が天井Ｒの下面に当接するように、天井Ｒに沿って取り付けられている。すなわち、化粧パネル５０ｂは、ケーシング本体５０ａに取り付けられた状態において、その下面が室内に露出している。
【００４１】
化粧パネル５０ｂには、図３に示すように、その略中央部に略正方形状の吸込口５３が形成されている。吸込口５３は、室内空気をケーシング５０内に吸い込むための開口である。化粧パネル５０ｂは、図２に示すように、その略中央部に、吸込口５３を覆うための格子状の吸込パネル５４を有している。すなわち、室内空気は、吸込パネル５４を介して吸込口５３に流入する。図３に示すように、吸込パネル５４の上方には、室内空気に含まれる塵埃等の浮遊物を除去するためのフィルタ５５が配置されている。
【００４２】
また、化粧パネル５０ｂには、図４に示すように、その外周縁部に複数の（ここでは、８つの）吹出口５６ａ〜５６ｈが形成されている。複数の吹出口５６ａ〜５６ｈは、吸込口５３や吸込パネル５４の周囲を囲うように形成されている。複数の吹出口５６ａ〜５６ｈは、ケーシング５０内で各種の構成機器によって温度調節された空調空気を居室内（具体的には、空調対象エリアＡ〜Ｄ）に吹き出すための開口である。ここでは、２つの吹出口５６ａ，５６ｂと、２つの吹出口５６ｃ，５６ｄと、２つの吹出口５６ｅ，５６ｆと、２つの吹出口５６ｇ，５６ｈとが、平面視において、化粧パネル５０ｂのそれぞれの辺（計４辺）に沿うように形成されている。
【００４３】
ここで、空調対象エリアＡ〜Ｄとは、図４や図６に示すように、複数の吹出口５６ａ〜５６ｈのそれぞれから吹き出される空調空気が空調を行う対象とするエリアをいう。ここでは、空調対象エリアＡは、２つの吹出口５６ａ，５６ｂに対応しており、空調対象エリアＢは、２つの吹出口５６ｃ，５６ｄに対応しており、空調対象エリアＣは、２つの吹出口５６ｅ，５６ｆに対応しており、空調対象エリアＤは、２つの吹出口５６ｇ，５６ｈに対応している。
【００４４】
また、化粧パネル５０ｂには、図４に示すように、後述する連結ピン５９（図１０や図１１を参照）を介して、それぞれの吹出口５６ａ〜５６ｈの略全部を覆うことが可能な水平フラップ５７ａ〜５７ｈが、それぞれの吹出口５６ａ〜５６ｈに対応して設けられている。ここでは、吹出口は８つ形成されているので、水平フラップは、８つの吹出口５６ａ〜５６ｈのそれぞれに対応するように８つ設けられている。水平フラップ５７ａ〜５７ｈについては、後に詳述する。
【００４５】
なお、吸込口５３の近傍には、ケーシング５０内に流入する室内空気の温度（すなわち、室内温度）を検出する室内温度センサ６１（図１や図９を参照）が設けられている。
【００４６】
また、化粧パネル５０ｂには、複数の吹出口５６ａ〜５６ｈのそれぞれに対応する空調対象エリアＡ〜Ｄにおける人の存在の有無を検知する人検知手段としての人検知センサ６２が設けられている。なお、人検知センサ６２の具体的な構成については、後述する。
【００４７】
ケーシング５０内には、図３に示すように、室内熱交換器４１と、室内ファン４２（送風ファンに相当）と、ドレンパン４３とが収容されている。
【００４８】
室内熱交換器４１は、ケーシング本体５０ａの内周縁の内側に、その内周縁に沿うように配置され、平面視において１箇所に隙間が形成されるような略矩形の形状となるように配置されている。また、室内熱交換器４１は、室内ファン４２の周りを囲うように配置されている。隙間を挟んだ室内熱交換器４１の両端部のうち一方には、液側冷媒連絡配管６およびガス側冷媒連絡配管７が接続される。
【００４９】
室内ファン４２は、室内ユニット４内に居室内の空気を吸入して、室内熱交換器４１において冷媒と熱交換させた後に、供給空気として室内に供給するための送風ファンとして機能する。室内ファン４２は、ケーシング本体５０ａの略中央部に配置され、室内熱交換器４１に供給する空気の風量を可変することが可能なファンである。室内ファン４２は、いわゆるターボファンであり、室内ファンモータ４２ｍと、室内ファンモータ４２ｍの回転軸に連結されて回転駆動される羽根車４２ａとを有している。また、室内ファン４２の下方には、吸込口５３からケーシング５０内に流入した室内空気を室内ファン４２の下部へ案内するベルマウス４２ｂが設けられている。そして、室内ファン４２は、室内ファンモータ４２ｍにより回転駆動し、吸込口５３から吸い込んだ室内空気を室内ファン４２の径方向外側へ送り出すことができる。
【００５０】
ドレンパン４３は、室内熱交換器４１の下方に配置される。ドレンパン４３は、室内熱交換器４１において空気中の水分が凝縮されることによって発生した結露水を受ける役割を有する。
【００５１】
＜水平フラップ５７ａ〜５７ｈの構成＞
図４に示すように、水平フラップ５７ａ〜５７ｈは、吹出口５６ａ〜５６ｈに、それぞれに対応するように設けられている。水平フラップ５７ａ〜５７ｈは、それぞれ化粧パネル５０ｂに形成される吹出口５６ａ〜５６ｈの長手方向に細長く延びる板状の部材であり、吹出口５６ａ〜５６ｈの長手方向の軸周りに回動可能である。具体的には、水平フラップ５７ａ〜５７ｈは、後述する全閉状態と、後述する下方吹き状態との間を回動可能である。水平フラップ５７ａ〜５７ｈは、吹出口５６ａ〜５６ｈの長手方向の軸周りに回動可能であることにより、吹出口５６ａ〜５６ｈから吹き出される空調空気の吹出方向を調整可能にする吹出方向調整部材としての機能や、吹出口５６ａ〜５６ｈを開閉する機能を有する。
【００５２】
水平フラップ５７ａ〜５７ｈの長手方向の外側部分には、連結ピン５９（図１０および図１１を参照）が連結されている。連結ピン５９は、化粧パネル５０ｂに回動可能に支持されている。よって、この連結ピン５９によって、水平フラップ５７ａ〜５７ｈは、回動可能となっている。
【００５３】
また、化粧パネル５０ｂの４辺それぞれに沿うように形成された２つの吹出口の略中央部には、それぞれフラップモータ５７ｍ（計４つ）が配置されている。そして、水平フラップ５７ａ〜５７ｈはそれぞれ、吹出口５６ａ〜５６ｈに対応するように、フラップモータ５７ｍの駆動軸１５７（図５を参照）に連結されている。すなわち、各フラップモータ５７ｍの両側には、それぞれ対応する水平フラップ５７ａ〜５７ｈが配置されている。よって、連結ピン５９およびフラップモータ５７ｍの駆動軸１５７を介して、それぞれの水平フラップ５７ａ〜５７ｈは、独立して駆動することができるようになっている。具体的には、図５に示すように、各フラップモータ５７ｍの両側に位置する２つの水平フラップは、ギア１５８と、電磁クラッチ１５９とが取り付けられた第１軸１６０によって連結されている。ギア１５８は、フラップモータ５７ｍの駆動軸１５７に接続されている。これにより、第１軸１６０に連結された２つの水平フラップは、ギア１５８およびフラップモータ５７ｍの駆動軸１５７を介して、フラップモータ５７ｍからの駆動力を受けるようになっている。電磁クラッチ１５９は、ギア１５８を介したフラップモータ５７ｍからの駆動力を、第１軸１６０に伝達したり遮断したりする機能を有する。このような構成により、各フラップモータ５７ｍの両側に位置する２つの水平フラップは、同時に駆動することはできず、どちらか一方のみが駆動するようになっている。すなわち、同時刻においては、各フラップモータ５７ｍの両側に位置する２つの水平フラップの一方にのみ、各フラップモータ５７ｍからの駆動力が伝達するようになっている。
【００５４】
なお、ここでは、電磁クラッチ１５９を用いた構成を採っているが、これに限られるものではなく、電磁クラッチ１５９を用いない構成であってもよい。この場合、各フラップモータ５７ｍの両側に位置する２つの水平フラップは、同時に駆動することが可能になる。
【００５５】
＜人検知センサ６２の構成＞
図７は、室内ユニット４の側面視における人検知センサ６２の検知範囲を示す模式図である。図８は、人検知センサ６２の構成を示す模式図である。
【００５６】
人検知センサ６２（人検知手段に相当）は、赤外線センサであり、化粧パネル５０ｂの下部の配置可能な位置に１つ設けられている。人検知センサ６２は、物体から放射される赤外線放射エネルギーの変動によって、居室内の人の有無を検知する。そして、人検知センサ６２は、検知結果を制御部９に送信している。
【００５７】
人検知センサ６２は、図４に示すように、下面視において略円形の形状を有しており、図８に示すように、赤外線受光素子に赤外線を受光させるための開口部６２ａが形成されている。この開口部６２ａは、３６０°回転することが可能であり、それぞれの空調対象エリアＡ〜Ｄの人の存在の有無が検知できる位置に開口部６２ａが位置することにより、それぞれの空調対象エリアＡ〜Ｄにおける人の存在の有無を検知することができる。すなわち、人検知センサ６２では、開口部６２ａを回転することによって、空調対象エリアＡ〜Ｄ毎における人の存在の有無を検知している。
【００５８】
なお、人検知センサ６２の検知範囲は、図６の斜線部分に示すように、下面視においては、いずれの空調対象エリアＡ〜Ｄにおける人の存在の有無を検知する場合も、各検知角度α，β，γ，Δが約９０°となるような範囲である。また、人検知センサ６２の検知範囲は、図７の斜線部分に示すように、側面視においては、その検知角度εが約１３５°となるような範囲である。
【００５９】
なお、開口部６２ａは、赤外線受光素子に赤外線を受光させることができるような透過部材等によって覆われていてもよい。
【００６０】
＜制御部９の構成＞
図９は、制御部９の制御ブロック図である。
【００６１】
空気調和機１における各種機器の制御手段としての制御部９は、マイクロコンピュータ等から構成される。制御部９は、図９に示すように、主として、室内制御部９ａと、室外制御部９ｂとを有している。室内制御部９ａは、各種のセンサ６１，６２と接続されており、各種のセンサ６１，６２からの検出信号の受信、室内ユニット４の操作を行うためのリモコン（図示せず）との間での制御信号等のやり取り、室外制御部９ｂとの間での伝送線を介しての制御信号等のやり取り等を行う。そして、室内制御部９ａは、室内ユニット４の各種機器（例えば、室内ファン４２を駆動するための室内ファンモータ４２ｍや水平フラップ５７ａ〜５７ｈを駆動させるための複数のフラップモータ５７ｍ（図４を参照））の動作を制御する。室外制御部９ｂは、室外ユニット２内に配置される各種のセンサ（例えば、外気温度を検出するための外気温度センサ６３（図１も参照））等と接続されており、各種のセンサからの検出信号の受信、室内制御部９ａとの間での伝送線を介しての制御信号等のやり取り等を行う。そして、室外制御部９ｂは、室外ユニット２の各種機器（例えば、圧縮機２１を駆動するための圧縮機モータ２１ｍや室外ファン２８を駆動するための室外ファンモータ２８ｍ）の動作を制御する。なお、室外ファンモータ２８ｍおよび室内ファンモータ４２ｍは、インバータ装置（図示せず）を介して電力の供給を受けて駆動されるようになっており、周波数（すなわち、回転数）を可変することによって、それぞれ室外ファン２８および室内ファン４２の風量を可変することができる。また、それぞれのフラップモータ５７ｍは、インバータ装置（図示せず）を介して電力の供給を受けて駆動されるようになっており、周波数（すなわち、回転数）を可変することによって、それぞれのフラップモータ５７ｍに対応する水平フラップ５７ａ〜５７ｈを駆動することができるようになっている。
【００６２】
＜空気調和機１の動作＞
以下、空気調和機１の動作について説明する。空気調和機１の運転には、冷房運転と暖房運転とが含まれる。冷房運転や暖房運転は、室内ユニット４の運転負荷に応じて、室外ユニット２および室内ユニット４の各種機器の制御を行う運転である。以下、空気調和機１の各運転における動作について図１を用いて説明する。なお、以下の動作は、制御部９が行う。
【００６３】
（１）冷房運転
冷房運転時は、四路切換弁２２が第１状態（図１に示す四路切換弁２２の実線部分を参照）を採る。すなわち、圧縮機２１の吐出側が室外熱交換器２３に接続され、かつ、圧縮機２１の吸入側が室内熱交換器４１に接続された状態となっている。
【００６４】
この状態において、圧縮機２１および室外ファン２８および室内ファン４２を起動すると、低圧の冷媒は、圧縮機２１に吸入され圧縮されて高圧の冷媒となる。高圧のガス冷媒は、四路切換弁２２を経由して室外熱交換器２３に送られて、室外ファン２８によって供給される室外空気と熱交換を行って凝縮される。この凝縮された高圧の冷媒は、室外膨張弁２４によって減圧されて低圧の冷媒となり、液側閉鎖弁２５および液側冷媒連絡配管６を経由して、室内ユニット４に送られる。
【００６５】
室内ユニット４に送られた低圧の冷媒は、室内熱交換器４１に送られ、室内熱交換器４１において、居室内から室内ファン４２によって吸込口５３を介してケーシング５０内に流入する空気と熱交換を行って蒸発される。このとき、ケーシング５０内に流入した空気は冷媒によって熱を奪われて冷却された空調空気となる。そして、冷却された空調空気は、吹出口５６ａ〜５６ｈを介して居室内へと吹き出される。蒸発された低圧の冷媒は、ガス側冷媒連絡配管７を経由して室外ユニット２に送られ、ガス側閉鎖弁２６および四路切換弁２２を経由して、再び、圧縮機２１に吸入される。
【００６６】
（２）暖房運転
次に、通常運転モードにおける暖房運転について説明する。
【００６７】
暖房運転時は、四路切換弁２２が第２状態（図１に示す四路切換弁２２の破線部分を参照）を採る。すなわち、圧縮機２１の吐出側が室内熱交換器４１に接続され、かつ、圧縮機２１の吸入側が室外熱交換器２３に接続された状態となっている。
【００６８】
この状態において、圧縮機２１および室外ファン２８および室内ファン４２を起動すると、低圧の冷媒は、圧縮機２１に吸入され圧縮されて高圧の冷媒となり、四路切換弁２２、ガス側閉鎖弁２６およびガス側冷媒連絡配管７を経由して、室内ユニット４に送られる。
【００６９】
室内ユニット４に送られた高圧の冷媒は、室内熱交換器４１に送られ、室内熱交換器４１において、居室内から室内ファン４２によって吸込口５３を介してケーシング５０内に流入する空気と熱交換を行って凝縮される。このとき、ケーシング５０内に流入した空気は冷媒によって熱を与えられて加熱された空調空気となる。そして、加熱された空調空気は、吹出口５６ａ〜５６ｈを介して居室内へと吹き出される。凝縮された高圧の冷媒は、液側冷媒連絡配管６を経由して室外ユニット２に送られる。
【００７０】
室外ユニット２に送られた高圧の冷媒は、液側閉鎖弁２５を経由して、室外膨張弁２４によって減圧されて低圧の冷媒となり、室外熱交換器２３に流入する。室外熱交換器２３に流入した低圧の冷媒は、室外ファン２８によって供給される室外空気と熱交換を行って蒸発される。蒸発された低圧の冷媒は、四路切換弁２２を経由して、再び、圧縮機２１に吸入される。
【００７１】
次に、水平フラップ５７ａ〜５７ｈの動作について説明する。
【００７２】
＜水平フラップ５７ａ〜５７ｈの動作＞
図１０は、水平フラップ５７ａ〜５７ｈの全閉状態および下方吹き状態を示すための水平フラップ５７ａ〜５７ｈの周辺の拡大断面図である。図１１は、水平フラップ５７ａ〜５７ｈの水平吹き状態を示すための水平フラップ５７ａ〜５７ｈの周辺の拡大断面図である。
【００７３】
水平フラップ５７ａ〜５７ｈは、人検知センサ６２の検知結果に基づいて制御部９がフラップモータ５７ｍ（ここでは、４つ）を制御することによって駆動される。水平フラップ５７ａ〜５７ｈは、少なくとも４つの状態を採ることが可能である。４つの状態とは、全閉状態と、下方吹き状態と、水平吹き状態と、中間状態とである。
【００７４】
水平フラップ５７ａ〜５７ｈは、室内ユニット４が運転を停止している状態にあるときは、全閉状態を採るように制御部９によって制御される。水平フラップ５７ａ〜５７ｈの全閉状態とは、図１０の実線部分に示すように、水平フラップ５７ａ〜５７ｈが、それぞれ吹出口５６ａ〜５６ｈを略全体を覆うような状態を採ることである。具体的には、吹出口５６ａ〜５６ｈのそれぞれと水平フラップ５７ａ〜５７ｈのそれぞれとの間の隙間が最も小さくなる状態を採る。すなわち、水平フラップ５７ａ〜５７ｈの第１端部５８ａ〜５８ｈが、最も天井Ｒに近づくような状態を採る。水平フラップ５７ａ〜５７ｈは、全閉状態においては、化粧パネル５０ｂと一体化している。これにより、水平フラップ５７ａ〜５７ｈの全閉状態においては、室内ユニット４の意匠性の向上を図ることができている。
【００７５】
水平フラップ５７ａ〜５７ｈは、下方吹き状態においては、図１０の破線部分に示すように、ケーシング５０内で空調された空調空気の吹出方向が略鉛直下向きに吹き出されるような状態を採る。具体的には、吹出口５６ａ〜５６ｈのそれぞれと水平フラップ５７ａ〜５７ｈのそれぞれとの間の隙間が最も大きくなるような状態を採る。すなわち、水平フラップ５７ａ〜５７ｈの第１端部５８ａ〜５８ｈが、最も天井Ｒから離れるような状態を採る。
【００７６】
水平フラップ５７ａ〜５７ｈは、水平吹き状態においては、図１１に示すように、ケーシング５０内で空調された空調空気の吹出方向が略水平向きに吹き出されるような状態を採る。ここで、略水平向きとは、水平フラップ５７ａ〜５７ｈの天井Ｒ（図３を参照）の水平面に対する傾斜角度θが８°〜１２°の範囲となるような向きを意味する。
【００７７】
水平フラップ５７ａ〜５７ｈは、中間状態においては、ケーシング５０内で空調された空調空気の吹出方向が下方吹き状態と全閉状態との間の角度となるような方向に吹き出されるような状態を採る。
【００７８】
以下、室内ユニット４の冷房運転時における水平フラップ５７ａ〜５７ｈの動作と、室内ユニット４の暖房運転時における水平フラップ５７ａ〜５７ｈの動作とを分けて説明する。
【００７９】
（１）冷房運転時における水平フラップ５７ａ〜５７ｈの動作
制御部９は、空調対象エリアＡ〜Ｄに存在する人の快適性を考慮して、人検知センサ６２が空調対象エリアＡ〜Ｄのいずれかにおいて人の存在を検知した場合、その検出信号を受信して、人の存在が検知される空調対象エリアに対応する２つの吹出口のそれぞれの水平フラップを水平吹きの状態となるように制御する。すなわち、制御部９は、人検知センサ６２の検知結果に基づいて、複数の水平フラップ５７ａ〜５７ｈのそれぞれの制御を行っている。
【００８０】
これにより、空調対象エリアＡ〜Ｄに人が存在する場合、その人に風を直接当てること（人への直接送風）を抑制することができる。よって、空調対象エリアＡ〜Ｄに存在する人のドラフトによる不快感を抑制することができ、人の快適性の向上を図ることができる。
【００８１】
他方、空調対象エリアＡ〜Ｄのうち人の非存在が検知される空調対象エリアにおいては、制御部９は、水平フラップ５７ａ〜５７ｈを中間状態となるように制御している。
【００８２】
（２）暖房運転時における水平フラップ５７ａ〜５７ｈの動作
従来、複数の方向に吹出口が設けられ（例えば、４方向、８方向）、それぞれの吹出口に、吹出口から吹き出される空調空気の風向を変更可能な水平フラップが設けられる天井設置型の室内ユニットが存在する。そして、このような室内ユニットには、室内における温度差を小さくするためにセンサにより床温度を検知するものがある。このような室内ユニットにおいては、例えば、暖房運転時、床温度が低いと検知されるエリアに対して空調空気を吹き出すと考えられる。しかし、そのエリアに人が存在していると、室内ユニットにおいてまだ完全に温度調節がされていない空気（比較的冷たい空気）が居室内に吹き出され、その空気が、エリアに存在する人に当たることでその人に不快感を与えることが懸念される。
【００８３】
そこで、本実施形態では、室内ユニット４の暖房運転開始時においても、人検知センサ６２の検知結果に基づいて、制御部９が水平フラップ５７ａ〜５７ｈの採る状態を制御している。
【００８４】
具体的には、暖房運転の開始時において、人検知センサ６２が全ての空調対象エリアＡ〜Ｄにおいて人の存在を検知した場合、制御部９は、その検出信号を受信し、全ての空調対象エリアＡ〜Ｄに対応する２つの吹出口毎に配置される水平フラップのそれぞれを水平吹きの状態となるように制御している。なお、ここでは、さらに、室内ファン４２の風量が最大となるように制御（具体的には、室内ファンモータ４２ｍの回転数を最大に制御）してもよい。
【００８５】
また、人検知センサ６２が全ての空調対象エリアＡ〜Ｄにおいて人の非存在を検知した場合、制御部９は、その検出信号を受信し、全ての空調対象エリアＡ〜Ｄに対応する２つの吹出口毎に配置される水平フラップのそれぞれを下方吹きの状態となるように制御し、且つ、室内ファン４２の風量が最大となるように制御（すなわち、吹出口５６ａ〜５６ｈから吹き出される空調空気の量が最大となるように制御）する高速暖房制御を行う。
【００８６】
また、人検知センサ６２が空調対象エリアＡ〜Ｄのいずれかにおいて人の存在を検知し、空調対象エリアＡ〜Ｄのいずれかにおいて人の非存在を検知した場合（例えば、空調対象エリアＡ，Ｃには人が存在すると検知し、空調対象エリアＢ，Ｄには人が存在しないと検知する場合）は、制御部９は、室内ファン４２の風量が最大となるように制御し、人の存在が検知される空調対象エリアに対応する２つの吹出口に配置される水平フラップのそれぞれを水平吹きの状態となるように、且つ、人の非存在が検知される空調対象エリアに対応する２つの吹出口に配置される水平フラップのそれぞれを下方吹きの状態となるように制御する。すなわち、空調対象エリアＡ〜Ｄにおいて、人が存在しない空調対象エリアがある場合は、水平フラップ５７ａ〜５７ｈの制御だけではなく、室内ファン４２の風量制御も行っている。なお、室内ファン４２の風量が最大となるように制御するものに限られず、室内ファン４２の風量が最大に近い風量となるように制御するものであってもよい。
【００８７】
以上により、居室内における人の存在を考慮した空調制御を行うことができる。よって、人が存在する空調対象エリアにおいては、人への直接送風を抑制することができる。従って、ドラフトによる人の不快感を抑制することができ、人の快適性を向上することができる。
【００８８】
また、人の非存在が検知される空調対象エリアにおいては、高速暖房制御を行うことにより、より早く、空調対象エリアにおける空間全体に、暖められた空調空気を行き渡らせることができる。よって、その空調対象エリアに入る人は足元から温められ、快適性が向上する。
【００８９】
ここで、暖房運転の開始時とは、人がリモコン等を操作することによって暖房運転を開始する旨の制御指令が制御部９に送信されてから、任意の時間Ｔ（時間）（予めメモリに記憶されている）を過ぎるまでをいう。
【００９０】
なお、ここでは、暖房運転開始後（具体的には、暖房運転の開始時から任意の時間Ｔを過ぎたとき）から空調対象エリアの温度が略安定状態となるまで、また、空調対象エリアの温度が略安定状態となった後においても、制御部９は、暖房運転開始時とほぼ同様の制御を行う。すなわち、制御部９は、人の存在が検知される空調対象エリアにおいては、その空調対象エリアに対応する２つの吹出口の水平フラップのそれぞれを水平吹きの状態となるように、また、人の非存在が検知される空調対象エリアにおいては、その空調対象エリアに対応する２つの吹出口の水平フラップのそれぞれを下方吹きの状態となるように制御している。これにより、人に直接空調空気が当たることを抑制することができ、ドラフトによる人の不快感を抑制することができる。よって、人の快適性を向上することができる。なお、この場合は、室内ファン４２の風量制御は行わなくてもよい。
【００９１】
＜第１実施形態に係る空気調和機１の特徴＞
本実施形態の空気調和機１では、室内ユニット４の化粧パネル５０ｂに、それぞれ異なる空調対象エリアＡ〜Ｄに向けてケーシング５０内で温度調節された空調空気を吹き出すための複数の吹出口５６ａ〜５６ｈが形成されている。そして、複数の吹出口５６ａ〜５６ｈには、複数の吹出口５６ａ〜５６ｈにそれぞれ対応するように、それぞれが独立して調整可能である複数の水平フラップ５７ａ〜５７ｈ（吹出方向調整部材に相当）が配置されている。また、化粧パネル５０ｂの下部には、それぞれの空調対象エリアＡ〜Ｄにおける人の存在の有無を検知する人検知センサ６２（人検知手段に相当）が配置されている。
【００９２】
そして、空気調和機１の各種機器の制御を行う制御部９は、人検知センサ６２の検知結果（空調対象エリアＡ〜Ｄにおける人の存在の有無）に基づいて、複数の水平フラップ５７ａ〜５７ｈの角度の調整、すなわち、吹出口５６ａ〜５６ｈから吹き出される空調空気の吹出方向の調整を行っている。
【００９３】
人が存在する空調対象エリアにおいては、その空調対象エリアに対応する吹出口の水平フラップを水平吹きの状態にすることで、室内ユニット４においてまだ完全に温度調節されていない比較的冷たい空気が人に送風されるのを抑制することができる。これにより、人の快適性を向上することができる。
【００９４】
人が存在しない空調対象エリアにおいては、その空調対象エリアに対応する吹出口の水平フラップを下方吹きの状態にすることで、足元の空間から温めることができる。
【００９５】
また、制御部９は、空調対象エリアＡ〜Ｄのうち、人が存在しない空調対象エリアがある場合は、室内ファン４２の風量が最大となるように制御する。よって、人が存在しない空調対象エリアにおいては、より早くその空調対象エリアの温度を上げることができる。
【００９６】
以上のように、本実施形態の空気調和機１（具体的には、室内ユニット４）では、各空調対象エリアＡ〜Ｄにおける人の存在の有無によりそれぞれの空調対象エリアＡ〜Ｄに対応する吹出口の水平フラップを独立して制御することによって、吹出口５６ａ〜５６ｈ毎に、吹出口５６ａ〜５６ｈから吹き出される空調空気の吹出方向を調整することが可能になっている。よって、吹出口５６ａ〜５６ｈから吹き出される空調空気の吹出方向をきめ細かく制御することで、人の快適性を向上することができている。
【００９７】
＜第１実施形態に係る空気調和機１の変形例＞
（Ａ）
制御部９は、上記実施形態で説明した制御の他に、省エネルギーおよび省コストを考慮した制御をさらに行ってもよい。
【００９８】
まず、例えば、制御部９は、暖房運転時または冷房運転時において、人検知センサ６２がいずれかの空調対象エリアＡ〜Ｄにおいて人の非存在を検知した場合、人の非存在が検知される空調対象エリアに吹き出される空調空気の量が低下するように室内ファン４２の風量を低下する（具体的には、室内ファンモータ４２ｍの回転数を下げる）第１風量低下制御（第１制御に相当）を行ってもよい。これにより、省エネルギーおよび省コストに貢献する。なお、ここでは、第１風量低下制御を行って人の非存在が検知される空調対象エリアに吹き出される空調空気の量が低下するようにしているが、これに限られるものではない。例えば、吹出口５６ａ〜５６ｈの近傍に、開度を調節することによって、吹出口５６ａ〜５６ｈから吹き出される空調空気の量を変更可能なダンパ（図示せず）が設けられている場合は、制御部９は、ダンパの開度を調節することによって、人の非存在が検知される空調対象エリアに吹き出される空調空気の量が低下するように制御してもよい。この場合は、室内ファン４２の風量制御を行わなくても、空調対象エリア毎に、空調対象エリアに吹き出される空調空気の量を変更することができる。
【００９９】
次に、例えば、制御部９は、暖房運転時または冷房運転時において、人検知センサ６２が全ての空調対象エリアＡ〜Ｄにおいて人の非存在を検知した場合、室内ユニット４の運転能力を落とす能力セーブ制御（第２制御に相当）を行ってもよい。居室内に人がいない場合に、室内ユニット４の運転能力を落とすことによって、省エネルギーおよび省コストに貢献することができる。
【０１００】
また、これに限られず、制御部９は、人検知センサ６２が全ての空調対象エリアＡ〜Ｄにおいて人の非存在を検知した場合、室内ユニット４の運転を停止する運転停止制御（第２制御に相当）を行ってもよい。この場合も上記と同様に省エネルギーおよび省コストに貢献する。
【０１０１】
また、制御部９は、能力セーブ制御を行った後、運転停止制御を行ってもよい。
【０１０２】
さらに、例えば、制御部９は、暖房運転時または冷房運転時において、人検知センサ６２によって検知される全ての空調対象エリアＡ〜Ｄにおける人の検知量によって人の活動状態量（人数の多少）を算出し、活動状態量が少ない場合には、複数の（全ての）吹出口５６ａ〜５６ｈから吹き出される空調空気の量が低下するように室内ファン４２の風量を低下する第２風量低下制御（第３制御に相当）を行ってもよい。ここで、算出には、予測も含まれるものとする。第２風量低下制御により、省エネルギーおよび省コストに貢献する。なお、ここでも、第２風量低下制御を行うことにより、複数の（全ての）吹出口５６ａ〜５６ｈから吹き出される空調空気の量が低下するようにしているが、上述のように、吹出口５６ａ〜５６ｈの近傍にダンパが設けられている場合は、制御部９は、ダンパの開度を調節することによって、全ての吹出口５６ａ〜５６ｈから吹き出される空調空気の量が低下するようにしてもよい。
【０１０３】
（Ｂ）
制御部９は、冷房運転時において、変形例（Ａ）に記載の制御の他にも以下のような制御を行ってもよい。
【０１０４】
例えば、制御部９は、冷房運転時において、人検知センサ６２がいずれかの空調対象エリアＡ〜Ｄにおいて人の存在を検知した場合、人の存在が検知される空調対象エリアに吹き出される空調空気が人に当たるように水平フラップの採る状態を制御し（例えば、水平フラップを下方吹き状態となるように制御し）且つ設定温度を上げる第１体感温度低下制御（第４制御に相当）を行ってもよい。ここでは、空調空気が人に当たるように水平フラップ５７ａ〜５７ｈを制御することによって、人の体感温度を低下させることができる。これにより、室内ユニット４の設定温度を上げることができる。よって、省エネルギーおよび省コストに貢献する。
【０１０５】
次に、例えば、制御部９は、冷房運転の開始後、任意の時間Ｔ２（時間）（予めメモリに記憶されている）が経過してから空調対象エリアＡ〜Ｄの温度が略安定状態になる時まで、人検知センサ６２がいずれかの空調対象エリアＡ〜Ｄにおいて人の存在を検知した場合、人の存在が検知される空調対象エリアに対応する吹出口の水平フラップを、吹出口から吹き出される空調空気の吹出方向が連続的に変化するように制御し且つ設定温度を上げる第２体感温度低下制御（第５制御に相当）を行ってもよい。ここでは、吹出口から吹き出される空調空気の吹出方向が連続的に変化するように制御することで空調対象エリアにおける温度ムラを改善することが期待できる。また、空調空気を人に当てることも可能になるので、人の体感温度を低下させることも期待できる。よって、省エネルギーおよび省コストにも貢献する。
【０１０６】
また、制御部９は、冷房運転時において、上述の経時的な要素は考慮せずに、第１体感温度低下制御と、第２体感温度低下制御とを任意に組み合わせて行ってもよい。
【０１０７】
（Ｃ）
また、室内熱交換器４１の構成は、平面視において１箇所に隙間が形成されるような矩形状の形状を有し、ケーシング本体５０ａの内周縁に沿うように配置されていると説明したが、本発明はこれに限られるものではない。例えば、室内熱交換器４１は、一体的に形成されているものではなく、ケーシング本体５０ａの４辺にそれぞれが沿うように４分割されているような構成のものであってもよい。
【０１０８】
このような４分割された室内熱交換器４１を有する室内ユニットにおいては、ケーシング本体５０ａの４辺にそれぞれ対応する吹出口毎に、各吹出口から吹き出される空調空気の温度（すなわち、吹出温度）を変更することが可能になる。すなわち、空調対象エリアＡ〜Ｄ毎に、空調対象エリアＡ〜Ｄに吹き出される空調空気の温度を変更することができる。
【０１０９】
また、冷房運転時において、人検知センサ６２が人の非存在を検知する空調対象エリアに対応する吹出口から吹き出される空調空気の温度を、他の吹出口（人検知センサ６２が人の存在を検知する空調対象エリアに対応する吹出口）から吹き出される空調空気の温度よりも高くする能力セーブ制御を行うことが可能になる。また、暖房運転時において、人検知センサ６２が人の非存在を検知する空調対象エリアに対応する吹出口から吹き出される空調空気の温度を、他の吹出口（人検知センサ６２が人の存在を検知する空調対象エリアに対応する吹出口）から吹き出される空調空気の温度よりも低くする能力セーブ制御を行うことが可能になる。
【０１１０】
すなわち、制御部９は、人検知センサ６２がいずれかの空調対象エリアＡ〜Ｄにおいて人の非存在を検知した場合、人の非存在が検知される空調対象エリアに対応する吹出口から吹き出される空調空気の温度を、冷房運転時においては高くし、暖房運転時においては低くする制御を行うことができる。これにより、省エネルギーおよび省コストに貢献する。
【０１１１】
（Ｄ）
上記実施形態では、人検知センサ６２の開口部６２ａが回転することによって、空調対象エリアＡ〜Ｄ毎における人の存在の有無を検知すると説明したが、本発明はこれに限られるものではない。
【０１１２】
例えば、人検知センサ６２の赤外線受光素子自体を回転して各空調対象エリアＡ〜Ｄに向けることによって、各空調対象エリアＡ〜Ｄにおける人の存在の有無を検知してもよい。
【０１１３】
また、本実施形態では、１つの人検知センサ６２が配置されているが、これに限られず、複数であってもよい。例えば、化粧パネル５０ｂに４つの人検知センサ６２を設け、空調対象エリアＡ〜Ｄのそれぞれの方向に赤外線受光素子を向けることによって、各空調対象エリアＡ〜Ｄにおける人の存在の有無を検知してもよい。
【０１１４】
（Ｅ）
上記実施形態では、空調対象エリアＡ〜Ｄの４つを対象に空調を行うことを目的としているが、本発明はこれに限られるものではない。例えば、上記実施形態では吹出口が８つあり、８つの吹出口のそれぞれに対応するように８つの水平フラップが設けられている。また、上述した構成により、各フラップモータ５７ｍの両側に位置する２つの水平フラップは片方ずつ駆動することが出来るようになっている。よって、空調対象エリアを、上記実施形態よりも細かく、すなわち、８つの各吹出口および８つの各水平フラップに対応するように区切って設定してもよい。この場合、よりきめ細かい風向（吹出口から吹き出される空調空気の吹出方向）の制御が可能になり、より人の快適性を向上することが可能になる。
【０１１５】
＜第２実施形態＞
続いて、第２実施形態について説明する。なお、以下の説明において、化粧パネル５０ｂ等の第１実施形態と共通する構成部分については、同じ符号を付して説明を省略する。
第２実施形態の第１実施形態と異なる点は、簡単に説明すると、第１実施形態においては、化粧パネル５０ｂに８つの吹出口５６ａ〜５６ｈが形成されているが、第２実施形態では、図１２に示すように、化粧パネル５０ｂに、４つの吹出口２５６ａ〜２５６ｄが形成されている点である。よって、この点に伴って、４つの吹出口２５６ａ〜２５６ｄのそれぞれに対応するように設けられる４つの水平フラップ２５７ａ〜２５７ｄ等の構成も少し異なる。なお、制御については、第１実施形態と同様である。
【０１１６】
４つの吹出口２５６ａ〜２５６ｄは、吸込口５３や吸込パネル５４の周囲を囲うように、且つ、それぞれが化粧パネル５０ｂの４辺に沿うように、化粧パネル５０ｂに形成されている。また、４つの吹出口２５６ａ〜２５６ｄは、それぞれ、各辺が延びる方向に細長いル略長方形状を有している。これらの吹出口２５６ａ〜２５６ｄは、第１実施形態と同様に、ケーシング５０内で各種の構成機器によって温度調節された空調空気を居室内（具体的には、空調対象エリアＡ〜Ｄ）に吹き出すための開口の役割を有する。
【０１１７】
ここで、第２実施形態においては、空調対象エリアＡは、吹出口２５６ａに対応しており、空調対象エリアＢは、吹出口２５６ｂに対応しており、空調対象エリアＣは、吹出口２５６ｃに対応しており、空調対象エリアＤは、吹出口２５６ｄに対応している。
【０１１８】
水平フラップ２５７ａ〜２５７ｄは、第１実施形態と同様に、それぞれの吹出口２５６ａ〜２５６ｄの略全部を覆うことが可能であり、それぞれ化粧パネル５０ｂに形成される吹出口２５６ａ〜２５６ｄの長手方向に細長く延びる板状の部材である。また、水平フラップ２５７ａ〜２５７ｄは、吹出口２５６ａ〜２５６ｄの長手方向の軸周りに回動可能である。水平フラップ２５７ａ〜２５７ｄは、第１実施形態における水平フラップ５７ａ〜５７ｈと同様の動作（採りうる状態等）を行う。
【０１１９】
水平フラップ２５７ａ〜２５７ｄの長手方向の外側部分（具体的には、長手方向の外側部分の一端）には、それぞれ連結ピン５９が連結されている。連結ピン５９は、化粧パネル５０ｂに回動可能に支持されている。よって、この連結ピン５９によって、水平フラップ２５７ａ〜２５７ｄは、回動可能となっている。また、連結ピン５９には、フラップモータ５７ｍの駆動軸１５７が連結されている。よって、連結ピン５９およびフラップモータ５７ｍの駆動軸１５７を介して、それぞれの水平フラップ２５７ａ〜２５７ｄは、独立して駆動することができるようになっている。
【０１２０】
以上のような構成により、第１実施形態と同様の効果を奏することができる。すなわち、各空調対象エリアＡ〜Ｄにおける人の快適性を考慮した空調制御を行うことができる。
【０１２１】
なお、第２実施形態の構成はこれに限られるものではなく、化粧パネル５０ｂには、吹出口２５６ａ〜２５６ｄの他に、図１３に示すように、吸込口５４の略正方形状における角部分に対応する位置に設けられた短辺吹出口２５６ｅ〜２５６ｈが形成されていてもよい。このとき、吹出口２５６ａ〜２５６ｄと、短辺吹出口２５６ｅ〜２５６ｈとは、化粧パネル５０ｂに、その辺に沿って交互に配置されるように形成されている。なお、短辺吹出口２５６ｅ〜２５６ｈには、それぞれに対応するように水平フラップ（図示せず）が配置されてもよいし、配置されなくてもよい。
【０１２２】
この場合、短辺吹出口２５６ｅ〜２５６ｈを介して、ケーシング５０内で温度調節された空調空気が、それぞれに対応する空調対象エリアに向けて吹き出されるので、より広い範囲の空調制御が可能になり、人の快適性を向上することができる。また、この短辺吹出口２５６ｅ〜２５６ｈに水平フラップが設けられる場合は、よりきめ細かい風向の制御をすることも可能になり、より人の快適性を向上することも可能になる。
【産業上の利用可能性】
【０１２３】
本発明では、暖房運転開始時において人に直接空調空気を当てることを抑制し、人の快適性を向上することができるので、有用である。
【符号の説明】
【０１２４】
１  空気調和機
４  室内ユニット（天井設置型室内ユニット）
９  制御手段（制御部）
４２  室内ファン（送風ファン）
５６ａ〜５６ｈ  吹出口
５７ａ〜５７ｈ  水平フラップ（吹出方向調整部材）
６２  人検知センサ（人検知手段）
２５６ａ〜２５６ｄ  吹出口
２５６ｅ〜２５６ｈ  吹出口
２５７ａ〜２５７ｄ  水平フラップ（吹出方向調整部材）
Ａ〜Ｄ  空調対象エリア
【先行技術文献】
【特許文献】
【０１２５】
【特許文献１】特開２００７−３２８８７号公報
【図１】
2011099609.tif 000003
【図２】
2011099609.tif 000004
【図３】
2011099609.tif 000005
【図４】
2011099609.tif 000006
【図５】
2011099609.tif 000007
【図６】
2011099609.tif 000008
【図７】
2011099609.tif 000009
【図８】
2011099609.tif 000010
【図９】
2011099609.tif 000011
【図１０】
2011099609.tif 000012
【図１１】
2011099609.tif 000013
【図１２】
2011099609.tif 000014
【図１３】
2011099609.tif 000015